(57)【要約】      （修正有）【課題】壁にビスや釘を使って固定して使用されている。広い敷地や事務所スペースが取れない最近では、コンクリート製マンションの一室を利用するケースも多く、壁に穴を開けたり傷つけられないため困っている。【解決手段】収納具の中に保護帽を縦に重ねて保管する。保護帽を出し入れ出来る段面積分の開放部数ヶ所設ける。収納具上部から底まで上下一直線に下降出来るよう、縦長の連続開放部を設ける。取り出し方法は縦長の連続開放部に沿ってヘルメットの庇を手で持って最寄の保護帽出し入れ開放部まで上下移動する、もう片方の手で取り出したい保護帽を引き抜く、収納する時はその逆を行う。収納具上部からも出し入れ可能、高所転落防止用安全帯も本発明品上部に設けられた、引っ掛け金具に掛けてコンパクトに保管でき、運搬容易にするため、分解組立出来るようにした。壁面を利用しないで、平面を利用し、扉などなく簡単に出し入れ出来る。【選択図】図２
2011087895.tif 000002
【特許請求の範囲】
保護帽を縦に重ねて収納し、その本体前面部に数ヶ所、保護帽出し入れ可能な開放部を設け、収納具上部からも出し入れ出来、前面部上部から底まで縦長の連続開放部も設け、保護具上部外側に引っ掛け金具を設け、底部は保護帽支持板を設けた、分解組立可能、重ね置型保護帽安全帯収納具。
【発明の詳細な説明】
【技術分野】
【０００１】本発明は保護帽、高所転落防止用安全帯の収納、保管に関するものである。
【背景技術】
【０００２】従来、建設現場等では、プレハブ事務所の壁面に保護帽を収納する収納具が有り、出入り口の壁面に保護帽収納具をビスで固定して保護帽を収納して使用している。
【先行技術文献】
【０００３】
【特許文献１】  実用新案出願平１１−７２５６  （有）第一クリエイト
【特許文献２】  実用新案出願平  ４−２５５５４  荻野信明
【発明の開示】
【発明が解決しようとする課題】
【０００４】  今までの商品では保護帽、高所転落防止用安全帯を保管するのに、コンクリート面や鉄板の壁面の事務所の場合、取り付け出来なかった。本発明は、以上の問題点を解決するためなされたものである。
【課題を解決するための手段】
【０００５】収納具に保護帽を縦に重ねて収納出来るようにし、
本体前面部に数ヶ所出し入れ可能な開放部を設け、保護帽の出し入れはそこからと収納具上部から行い、収納具前面中央に上部から底まで縦長の連続開放部を設け、収納具上部の外周部に引っ掛け金具を設け、底部板に数箇所ビス穴があり縦支柱下部にネジが切って有りビスで固定、保護帽支持板や横材と縦支柱の交差箇所ビスで固定し、分解組立出来るように施した重ね置型保護帽安全帯収納具。
【発明の効果】
【０００６】事務所の壁がコンクリート面の場合、壁掛け保護帽収納具の取り付けが難しく使用出来ないケースがあったが、本発明収納具は立面でなく平面を使用するため床や台の上に乗せられ、一番下になった保護帽も簡単に引き出すことができ、高所転落防止用安全帯も収納することができる。組み立て式のため持ち運びや郵送にもコンパクトに対応できる。
【発明を実施するための最良の形態】
【０００７】  以下、本発明の実施の形態を説明します。
（イ）収納具上部（１）は保護帽が入るサイズようにし、又保護帽の一部（庇部）を持って前面部上部（１）から底まで上下に下降出来るよう縦長の連続開放部（２）を設ける。
（ロ）収納具の数ヶ所に保護帽を引き抜いたり、差込んだり出来るよう保護帽断面積分の開放部（３）を設ける。
（ハ）保護帽支持板（６）は底部板（４）より少し上で止め、保護帽のあご紐等が床に落ちないような構造にする。
（ニ）収納具の一番下の保護帽を引き抜く時、片手で下から二番目の保護帽の庇を持って少し持ち上げ、もう一方の手で保護帽出し入れ開放部（３）からそれを引き抜く。収納の場合は逆の手順で行う。
（ホ）収納具中段にある保護帽を引き拔く時は最寄の保護帽出し入れ開放部（３）迄縦長の連続開放部（２）に沿って引き上げ、もう片方の手で目的の保護帽を引き抜く。収納の場合は逆の手順で行う。
（ヘ）収納具の上部（１）からも保護帽の出し入れが出来る。
（ト）最上部横ずれ防止材（８）に適当な間隔で引っ掛け金具（９）が設けられ、それに高所転落防止用安全帯を引っ掛け保管する。
（チ）組立は底部板（４）にビス穴があり縦支柱（５）底部板（４）をビスで固定する。
（リ）保護帽支持板（６）と各縦支柱（５）の接点はビスで固定する。
（ヌ）各横ずれ防止材（７）と縦支柱（５）の接点はビスで固定する。【０００８】（１）収納具上部、（２）上下連続開放部、（３）保護帽出し入れ開放部、（４）底部板、（５）縦支柱、（６）保護帽支持板、（７）横ずれ防止材、（８）最上部横ずれ防止材  （９）引っ掛け金具
【図１】
2011087895.tif 000003
【図２】
2011087895.tif 000004
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
犬のサイズに合わせ、接着材を取付けた胴着を、腹部、首周り、両手足部で固定し、小穴の開いた雨笠にも接着材が取付けられて有り、手綱ロープ上に上下移動可能な扇型部材を丸め上部側を結束した犬の雨笠。
【手続補正２】
【補正対象書類名】明細書
【補正対象項目名】全文
【補正方法】変更
【補正の内容】
【発明の詳細な説明】
【技術分野】
【０００１】本発明は雨の日の犬の散歩用品に関するものである。
【背景技術】
【０００２】従来雨の日の犬の散歩には、犬用カッパを着せるか、なにも身に着けないで足早に切り上げるのが一般的である。
【先行技術文献】
【特許文献】
【０００３】
【特許文献１】登録実用新案第３０９７５１
【非特許文献】
【０００４】
【非特許文献１】
【非特許文献２】
【発明の概要】
【発明が解決しようとする課題】
【０００５】雨の日の散歩では、犬用カッパを着せるのだが、ゴワゴワして嫌がる犬も多く、着付けるのに苦労する、着ていても動き回る為犬の頭と尻尾は雨に濡れてしまう。
本発明は以上の問題点を解決する為に成されたものである。
【課題を解決するための手段】
【０００６】胴着を犬の背中から左右に垂らし、腹部で左右の胴着端を重ね接着し固定する。
胴着から２本伸びた紐を犬の首周りで固定する。犬の背骨沿いには接着材が胴着に取り付けられていている。笠の中央部にも接着材が取付けられていて、胴着の接着材と重ね一体化する。笠には犬の首輪近くに子穴が開けて有り、首輪のリングに手縄ロープのフックを引っ掛ける、その穴に蓋をした、
以上の構成より成る犬の雨笠。
【発明の効果】
【０００７】手が使えない為カッパでしか防げなかった雨を背中に背負った透明な笠で防ぐ、生理現象で後ろ足上げても、踏ん張っても邪魔にならない。
【図面の簡単な説明】
【０００８】
【図１】本発明の胴着平面図
【図２】本発明の笠平面図
【図３】本発明の使用状態を示す斜視図
【発明を実施するための形態】
【０００９】以下、本発明の実施の形態を説明する。
（イ）犬の背中から左右に垂らした胴着の両端に接着材が取付けられて有り、犬の腹部で      左右の胴着端を重ね接着固定する。
（ロ）胴着の長さは首の根元から後ろ足の手前までとする。
（ハ）首付近に胴着から伸びた２本の紐があり先端部に、接着材が取付けられていて首周      りで接着し固定する。
（二）胴着には犬の背骨沿いに接着材が数本取付けられていて、笠側の接着材と重ね合っ      て一体となす。
（ホ）笠は犬の行動がわかるよう透明で、必要最小限の面積とし、首輪のリングに手縄ロ      ープのフックが通る子穴が開けてある。
（ヘ）小穴に蓋をするのに手綱ロープ上を上下に移動できるよう、防水性の薄い材質で扇      型に切断された部材の要側を手綱ロープに巻いて、移動出来る強さに調節して固定      する。
（ト）犬も雨が嫌いで、雨の日の散歩は駆け足になり耳に雨が入らないよう頭を下げる。      笠に頭が当たりそうだが、雨の日の散歩は長時間でない為問題なかった。
本発明は以上のような構造である。
本発明を使用する時は、胴着（１）を犬の背中に掛け接着材（２）が背骨の上に来るよう調節し、胴着（１）の左右両端を持って犬の腹部を抱え込むようにし接着し固定する。
胴着（１）から伸びた首回り紐（３）を接着材（２）で固定する。笠（４）の中央部に接着材（２）が数本取付けられているので、胴着（１）の接着材（２）と位置を合わせ重ねて固定する。
首輪のリング（５）を笠の小穴（６）まで回転移動して、手綱ロープ（７）のフックで引っ掛ける。笠の小穴（６）から雨水が入らないよう笠の小穴蓋（８）を取り付け手綱ロープ（７）のフック先端側に移動する。笠（４）の表面にデザインや犬の名をいれる。
【産業上の利用可能性】
【００１０】雨の日でも犬の体に雨がかかる事無く散歩が快適に出来るようになる。透明な雨笠のため、犬の視界を妨げる事無く、また飼い主も行動を監視できる。胴着と雨笠の取付はワンタッチの接着材を使う為、犬に負担を掛けない。
【符号の説明】
【００１１】    （１）胴着（２）接着材（３）首周り紐（４）笠（５）首輪のリング（６）笠の小穴    （７）手綱ロープ（８）笠の小穴蓋
【手続補正３】
【補正対象書類名】図面
【補正対象項目名】全図
【補正方法】変更
【補正の内容】
【図１】
2011087895.tif 000005
【図２】
2011087895.tif 000006
【図３】
2011087895.tif 000007